(57)【要約】【課題】遊技店における特殊景品を買い取るための特殊景品交換代金の準備作業の労力の軽減を図ること。【解決手段】特定金種についての代替金種を換算枚数分前取りして確保し、特定金種の不足分をこの代替金種で充当し、残った代替金種の紙幣を他の使途の収納部へ送り出すような構成とする。【選択図】図２
2004054457.tif 000002
【特許請求の範囲】
【請求項１】
処理すべき紙幣を一括で受け入れる紙幣受入部と、
該紙幣受入部に受け入れた紙幣を１枚ずつ繰り出して搬送する繰出搬送部と、該繰出搬送部の下流側に位置し、該繰出搬送部によって搬送される紙幣の金種を識別する金種識別部と、
該金種識別部の下流側に位置し、選択的に紙幣を取り込むと共に該選択的に取り込んだ紙幣を送り出すための枚数調整部と、
前記金種識別部の下流側に位置し、搬送される紙幣を使途別に仕分ける仕分部と、
該仕分部によって仕分けられた紙幣を使途別に各々収納し計数すると共に前記枚数調整部から送り出される紙幣を受け入れる複数の収納部と、
使途別金額情報が金種明細と共に入力可能な金額情報入力部とを有する売上金入金処理装置であって、
該金額情報入力部に入力された金種明細を伴った使途別金額情報に基づいて、前記紙幣受入部で受け入れた紙幣を前記複数の収納部の何れかに仕分けするものであり、
特定の使途に供される金種であって、該使途に必要な金額が指定されている特定金種については、該特定金種が必要金額に満たない場合にその不足分を代替するための代替金種を、前記必要とされる前記特定金種の金額に相当する枚数だけ前記枚数調整部において前取りし、
前記特定金種に対する指定枚数と前記特定の使途の収納部へ実際に送られた枚数とを比較し、指定枚数に満たないときには、差額分に相当する代替金種を前記枚数調整部から前記特定の使途の収納部へ送り出すようにしたことを特徴とする売上金入金処理装置。
【請求項２】
前記枚数調整部は、２枚のテープ間に紙幣を挟み込んで渦巻き状に巻き取るものであり、巻き戻す際に紙幣を送り出す構成であることを特徴とする請求項１に記載の売上金入金処理装置。
【請求項３】
前記複数の収納部は、少なくとも粗利益収納部と運用金収納部とを含むことを特徴とする請求項１又は２に記載の売上金入金処理装置。
【請求項４】
前記売上金入金処理装置は、さらに結束部を備えており、該結束部によって、前記金額情報入力部から入力された運用金としての千円札を所定枚数毎に結束処理することを特徴とする請求項３に記載の売上金入金処理装置。
【発明の詳細な説明】
【０００１】
【発明の属する技術分野】
本発明は紙幣の売上金入金処理装置に関するもので、特にパチンコ店等の遊技店での運用に好適な売上金入金処理装置に関する。
【０００２】
【従来の技術】
パチンコ店等の遊技店での現金の運用は以下のようになっている。
【０００３】
遊技店での一日の営業が終了した段階で、翌日の営業に備えて、店舗内の各所に分散して存在する紙幣を回収し、▲１▼両替機／遊技カード販売機に用いる必要な枚数の千円札、▲２▼特殊景品を買い取るために用いる必要な枚数の万円札／五千円札／千円札、▲３▼粗利益、に仕分けする作業を行っている。
【０００４】
ここで店舗内に存在する紙幣とは、台間玉貸機／台間メダル貸機、遊技カード（プリペイドカード）販売機、両替機に存在するものを指している。
【０００５】
店員がこれらから回収した紙幣を金種毎に分類し、各金種毎に枚数を（例えば紙幣計数機を利用して、）計数して、上記▲１▼〜▲３▼に仕分けしている。
【０００６】
なお、図４に示すように、台間玉貸機／台間メダル貸機、遊技カード販売機、両替機はホールコンピュータに通信接続されており、各々の機器に存在する紙幣の金額はホールコンピュータで把握できるようになってはいるが、金種明細までは把握できていないのが実情である。
【０００７】
【発明が解決しようとする課題】
上述した従来の技術では、計数作業自体は紙幣計数機の利用により若干合理化されてはいるが、人手による金種分類が不可欠であり多大な労力を必要としている。
【０００８】
特に問題となるのは、特殊景品を買い取るための特殊景品交換代金の準備作業である。ここで、特殊景品の買取システムについて図を基に説明する。
【０００９】
図９は前記特殊景品の流れを図示したものであり、遊技客が遊技により獲得した玉又はメダルは遊技店により特殊景品に換えられる。遊技客はこの特殊景品を遊技店の近くにある景品交換所（特殊景品買い取り業者）に持ち込み、現金（代金▲１▼）と交換する。特殊景品買い取り業者は、遊技客から買い取った特殊景品を問屋に買い取ってもらい、現金（代金▲２▼）を受け取る。さらに、問屋は買い取った特殊景品を遊技店に売却し、現金（代金▲３▼）を受け取る。このように特殊景品が環流するとともに現金が逆に動くのである。これは一般に「三店方式」と呼ばれている。
【００１０】
上記の特殊景品交換代金とは、直接的には代金▲３▼を指すが、最終的には遊技客に渡る関係上、その金種は、万円札、五千円札、千円札を含むことが重要とされ、しかも各金種に対しての必要枚数が予め指示される性格のものである。
【００１１】
ここで、五千円札について予め２５０枚との指示があったとして、上記店員による金種分類の結果、五千円札が２００枚しかなかったとしたら、５０枚不足となり、これを万円札２５枚にて代替充当しなければならない運用としているので、店員の煩わしさは相当なものとなる。
【００１２】
このことは上述したホールコンピュータが金種明細までは把握できていないことにも起因している。
【００１３】
かかる事情に鑑み、本発明はパチンコ店等の遊技店での現金の運用、特に、店舗内に存在する紙幣の金種明細が把握されていないような制限条件下で、金種毎の指定枚数確保要請があるような運用において、代替金種による充当機能を持たせることにより、この運用に適合可能な売上金入金処理装置を提供することを目的としている。
【００１４】
【課題を解決するための手段】
本発明は、パチンコ店等の遊技店での現金の運用に適合可能な売上金入金処理装置に関し、本発明の上記目的は、処理すべき紙幣を一括で受け入れる紙幣受入部と、該紙幣受入部に受け入れた紙幣を１枚ずつ繰り出して搬送する繰出搬送部と、該繰出搬送部の下流側に位置し、該繰出搬送部によって搬送される紙幣の金種を識別する金種識別部と、該金種識別部の下流側に位置し、選択的に紙幣を取り込むと共に該選択的に取り込んだ紙幣を送り出すための枚数調整部と、前記金種識別部の下流側に位置し、搬送される紙幣を使途別に仕分ける仕分部と、該仕分部によって仕分けられた紙幣を使途別に各々収納し計数すると共に前記枚数調整部から送り出される紙幣を受け入れる複数の収納部と、使途別金額情報が金種明細と共に入力可能な金額情報入力部とを有する売上金入金処理装置であって、該金額情報入力部に入力された金種明細を伴った使途別金額情報に基づいて、前記紙幣受入部で受け入れた紙幣を前記複数の収納部の何れかに仕分けするものであり、特定の使途に供される金種であって、該使途に必要な金額が指定されている特定金種については、該特定金種が必要金額に満たない場合にその不足分を代替するための代替金種を、前記必要とされる前記特定金種の金額に相当する枚数だけ前記枚数調整部において前取りし、前記特定金種に対する指定枚数と前記特定の使途の収納部へ実際に送られた枚数とを比較し、指定枚数に満たないときには、差額分に相当する代替金種を前記枚数調整部から前記特定の使途の収納部へ送り出すようにしたことを特徴とする売上金入金処理装置によって達成される。
【００１５】
また、本発明の上記目的は、前記売上金入金処理装置の前記枚数調整部を、２枚のテープ間に紙幣を挟み込んで渦巻き状に巻き取るようにし、巻き戻す際に紙幣を送り出す構成とすることにより、或いは、前記複数の収納部が、少なくとも粗利益収納部と運用金収納部とを含むように構成することにより、より効果的に達成される。
【００１６】
さらに、本発明の上記目的は、前記売上金入金処理装置に、さらに結束部を備え、該結束部によって、前記金額情報入力部から入力された運用金としての千円札を所定枚数毎に結束処理するように構成することによって、さらに効果的に達成される。
【００１７】
【発明の実施の形態】
本発明に係る売上金入金処理装置について、図面を参照しつつ説明する。
【００１８】
図１は、本発明に係る売上金入金処理装置の外観を示すものであり、同図中、１は紙幣受入部、２は金額情報入力部である。
【００１９】
図２は、前記売上金入金処理装置の内部構造を示す断面図である。同図中、１は紙幣受入部、２は金額情報入力部、３は繰出搬送部、４は金種識別部、５は仕分部、６は結束部、７は運用金収納部としての両替機／遊技カード販売機用紙幣の束収納部、８は運用金収納部としての特殊景品交換代金用紙幣のバラ収納部、９は粗利益収納部としての紙幣カセット、１０は紙幣カセットと接続される一時保留部、１１は枚数調整部である。
【００２０】
図３は、前記売上金入金処理装置の制御系を示すブロック図である。制御部１２は、金種情報入力部２、金種識別部４、仕分部５、結束部６及び枚数調整部１１を所定の制御プログラムに従って制御するものである。また、制御部１２は、演算制御を行うＣＰＵ１２１と、前記制御プログラムが格納されているＲＯＭ１２２と作業メモリであるＲＡＭ１２３を含むものである。さらに、制御部１２には記憶部１３が接続されており、取り込んだ紙幣の金種、枚数、格納場所等のデータを記憶するためのものである。ここで、枚数調整部１１は、２枚のテープ間に紙幣を挟み込んで渦巻き状に巻き取るものであり、巻き戻す際に紙幣を送り出す構成としている。そして取り込んだ順番と逆の順番で紙幣を送り出す機能となっていて、取り込んだ順番と金種とが対で制御部１２に接続された記憶部１３に記憶される。なお、この枚数調整部１１の構成としては、例えば公知の特開平８−６７３８２号公報に開示されている技術を利用することができる。
【００２１】
図４は、一般的な遊技店に設置される両替機及びその他の機器と、ホールコンピュータとのオンライン接続状況を示す図である。図４において、本発明の売上金入金処理装置がホールコンピュータとオンライン接続されているように示してあるが、これは例示であり、本発明に関してはオンライン接続は必須ではない。
【００２２】
図５は、店舗で処理する紙幣についての既知の情報を例示したものである。
【００２３】
図６〜図８は、本発明に係る売上金入金処理装置による売上金入金処理の流れを示すフローチャートである。
【００２４】
図５での店内紙幣総額とは、具体的には、▲１▼両替機に存在する紙幣の額、▲２▼遊技カード販売機に存在する紙幣の額、▲３▼台間玉貸機／台間メダル貸機に存在する紙幣の額の各々を合算した額である。
【００２５】
これら両替機、遊技カード販売機、台間玉貸機／台間メダル貸機の各々は、図４のように、ホールコンピュータに通信接続されていて、各々の金額総額についてはホールコンピュータに吸い上げられているので、店内紙幣総額についてはホールコンピュータからオンライン接続されている売上金入金処理機にデータが送られる。
【００２６】
しかしながら金種明細については、前記両替機等のホール機器が金種明細を管理する機能を有していないので、金種明細データを得ることができないものとな
っている。従って、この例示（図５）では金種明細は不明としている。
【００２７】
店内準備金とは、翌日の営業のために確保するものであって、具体的には両替機及び遊技カード販売機に釣銭用に装填するもので、千円札のみで構成される。
【００２８】
特殊景品交換代金とは、前述のように、特殊景品買い取り業者から特殊景品を購入するための代金であって、通常は、万円札／五千円札／千円札の３金種で構成することが要望される。
【００２９】
粗利益とは、店内紙幣総額から店内準備金と特殊景品交換代金とを差し引いた
残りをいう。
【００３０】
以下、遊技店での営業終了時において、店内に存在する紙幣の総額が図５に示すものであったときを例にとり、本発明に係る売上金入金処理装置による入金処理について、フローチャートに基づいて説明する。
【００３１】
まず、金額情報入力部にて、店内準備金として千円札２７００枚、及び特殊景品交換代金としての要望枚数である万円札９７５枚／五千円札２５０枚／千円札　３００枚と入力する（図６：ステップＳ１）。
【００３２】
次に、両替機、遊技カード販売機、台間玉貸機／台間メダル貸機から回収した紙幣を一括で、紙幣受入部１に投入する（ステップＳ２）。以上の操作が完了した後にスタートボタンを押下する（ステップＳ３）。
【００３３】
スタートボタン押下に伴い処理が開始されて、最下層の紙幣から順番に繰り出され、金種識別部を通って金種が判別され、使途別の仕分けが行われることになる（ステップＳ４）。処理開始の初期段階において、優先的に枚数調整部への前取り仕分けが行われる。
【００３４】
金種識別部で判別された結果、五千円札であった場合は、枚数調整部１１に送られ、記憶部１３に計数値が記憶される（ステップＳ５）。枚数調整部１１に五千円札が９枚溜まるまでこれを繰り返す。
【００３５】
枚数調整部１１に五千円札が９枚溜まると、次の五千円札はバラ収納部８へ送られて格納されるとともに、記憶部１３に計数値が記憶される（ステップＳ６）。
【００３６】
紙幣受入部１に紙幣がある限りこの処理が繰り返され、バラ収納部の五千円札の枚数が２４１枚になったら、その次の五千円札は紙幣カセット９へ送られ記憶部１３に計数値が記憶される（ステップＳ７）。
【００３７】
こうして、すべての紙幣が紙幣受入部からなくなった後、バラ収納部８の五千円札の枚数下１桁（これをＸとする。）が０であれば、端数調整が不要であるので、枚数調整部１１にある９枚の五千円札を全部紙幣カセット９へ送り、記憶部１３に計数値が記憶される（ステップＳ８）。一方、Ｘが０でなければ端数を生じているので、枚数調整部１１から（１０−Ｘ）枚の五千円札をバラ収納部８へ送り、端数調整を行った後、計数値を記憶する（ステップＳ９）。こうしてバラ収納部８の五千円札の端数調整が終了すると、枚数調整部１１にある残りの五千円札は不要となるので、これを全部紙幣カセット９へ送り、計数値を記憶する（ステップＳ１０）。この後、後述のステップＳ２２に移行し、バラ収納部８の五千円札の枚数が２５０枚相当になるように調整を行う。
【００３８】
一方、金種識別部で判別された結果、千円札であった場合の処理を図７のフローチャートに基づいて説明する。
【００３９】
まず、最初の千円札は、枚数調整部１１に送られ、記憶部１３に計数値が記憶される（ステップＳ１１）。枚数調整部１１に千円札が９枚溜まるまでこれを繰り返す。
【００４０】
枚数調整部１１に千円札が９枚溜まると、次の千円札は結束部６へ送られ、記憶部１３に計数値が記憶される（ステップＳ１２）。結束部６に千円札が１００枚溜まるまでこれが繰り返され、１００枚に達すると繰り出し搬送が停止され、結束された千円札の束が束収納部７に送られて格納される（ステップＳ１３）。束収納部７に千円札の束が２７束（２７００枚）になるまでこれを繰り返す。
【００４１】
束収納部７の千円札の束が２７束に達すると、次の千円札はバラ収納部８にへ送られて格納されるとともに、記憶部１３に計数値が記憶される（ステップＳ１４）。紙幣受入部１に紙幣がある限りこの処理が繰り返され、バラ収納部の千円札の枚数が２９１枚になったら、その次の千円札は紙幣カセット９へ送られ記憶部１３に計数値が記憶される（ステップＳ１５）。
【００４２】
こうして、すべての紙幣が紙幣受入部からなくなった後、バラ収納部８の千円札の枚数下１桁（これをＺとする。）が０であれば、端数調整が不要であるので、枚数調整部１１にある９枚の千円札を全部紙幣カセット９へ送り、記憶部１３に計数値が記憶される（ステップＳ１６）。一方、Ｚが０でなければ端数を生じているので、枚数調整部１１から（１０−Ｚ）枚の千円札をバラ収納部８へ送り、端数調整を行った後、計数値を記憶する（ステップＳ１７）。
【００４３】
こうしてバラ収納部８の千円札の端数調整が終了すると、枚数調整部１１にある残りの千円札は不要となるので、これを全部紙幣カセット９へ送り、計数値を記憶する（ステップＳ１８）。
【００４４】
さらに、金種識別部で判別された結果、万円札であった場合の処理を図８のフローチャートに基づいて説明する。
【００４５】
まず、金種識別部で判別された結果、万円札であった場合は、枚数調整部１１に送られ、記憶部１３に計数値が記憶される（ステップＳ１９）。枚数調整部１１に万円札が１２５枚溜まるまでこれを繰り返す。
【００４６】
枚数調整部１１に万円札が１２５枚溜まると、次の万円札はバラ収納部８へ送られて格納されるとともに、記憶部１３に計数値が記憶される（ステップＳ２０）。
【００４７】
紙幣受入部１に紙幣がある限りこの処理が繰り返され、バラ収納部の万円札の枚数が９７５枚になったら、その次の万円札は紙幣カセット９へ送られ記憶部１３に計数値が記憶される（ステップＳ２１）。
【００４８】
こうして、すべての紙幣が紙幣受入部からなくなった後、次のステップＳ２２以降において、バラ収納部８の万円札が９７５枚、五千円札の枚数が２５０枚相当になるように調整を行う。
【００４９】
具体的には、まず、バラ収納部の五千円札が２５０枚に満たない場合（ステップＳ２２のＮＯ）は、不足分を万円札で補うため、枚数調整部１１から不足金額に相当する万円札をバラ収納部８へ送り、計数値を記憶する（ステップＳ２３）。
【００５０】
補う前のバラ収納部８にある五千円札の枚数をＹ（末尾は０になっている）とすると、補う万円札の枚数は、（２５０−Ｙ）／２＝１２５−Ｙ／２（枚）となる。
【００５１】
一方、バラ収納部８の五千円札の枚数が２５０枚であれば、補う万円札の枚数は０となる。
【００５２】
ところで、バラ収納部８に最終的になければならない万円札の必要枚数は、当初の必要枚数９７５枚に、五千円札の代替分（１２５−Ｙ／２）枚を加えた（１１００−Ｙ／２）枚であるから、もし、この枚数に満たなければ、枚数調整部１１にある残りの万円札を用いて充当し（ステップＳ２４）、（１１００−Ｙ／２）枚に到達すれば、枚数調整部１１にある残りの万円札をすべて紙幣カセット９へ送り、計数値を記憶する（ステップＳ２５）。
【００５３】
以上のようにして、店内準備金としての千円札の束２７束と、特殊景品交換代金としての万円札９７５枚、五千円札２５０枚（一部を万円札で充当する場合を含む）、千円札３００枚が仕分けられ、残りが粗利益分として紙幣カセットに入れられる。
【００５４】
なお、紙幣カセットは、店舗と委託関係のある外部の警備会社の警備員が扱う運用とされるので、責任分担を明確化するために、いきなり紙幣カセットに送るのではなく、紙幣カセットの上方に位置する一時保留部に一旦送り、ホールコンピュータから得た粗利益の額と該装置による計数額とを照合し、合致を確認後に一時保留部から紙幣カセットに移すように構成してもよい。
【００５５】
【発明の効果】
特定金種についての代替金種を換算枚数分前取りして確保し、特定金種の不足分をこの代替金種で充当し、残った代替金種の紙幣を他の使途の収納部へ送り出すような機能としたことにより、紙幣全体についての金種明細が判っていない場合であっても、特定金種についての希望枚数に極力揃えることができることになる。
【図面の簡単な説明】
【図１】本発明に係る売上金入金処理装置の外観を示す図である。
【図２】本発明に係る売上金入金処理装置の内部構造を示す断面図である。
【図３】本発明に係る売上金入金処理装置の制御系を示すブロック図である
【図４】一般的な遊技店に設置される両替機及びその他の機器と、ホールコンピュータとのオンライン接続状況を示す図である。
【図５】遊技店で処理する紙幣についての既知の情報を例示したものである。
【図６】本発明に係る売上金入金処理装置による売上金入金処理の流れを示すフローチャートである。
【図７】図６のフローチャートの続きである。
【図８】図７のフローチャートの続きである。
【図９】特殊景品の流れを示した図である。
【符号の説明】
１　紙幣受入部
２　金額情報入力部
３　繰出搬送部
４　金種識別部
５　仕分部
６　結束部
７　束紙幣収納部
８　バラ紙幣収納部
９　紙幣カセット
１０　一時保留部
１１　枚数調整部
１２　制御部
１３　記憶部
【図１】
2004054457.tif 000003
【図２】
2004054457.tif 000004
【図３】
2004054457.tif 000005
【図４】
2004054457.tif 000006
【図５】
2004054457.tif 000007
【図６】
2004054457.tif 000008
【図７】
2004054457.tif 000009
【図８】
2004054457.tif 000010
【図９】
2004054457.tif 000011